(57)【特許請求の範囲】
【請求項１】
挿入口を有する弁室（４１，７１）が形成されたマニホールド（１５）と、
弁座（３２，６２）とこの弁座（３２，６２）に就座される弁（３３，６３）とこの弁（３３，６３）を前記弁座（３２，６２）に押圧するばね（３４，６４）とこのばね（３４，６４）および前記弁（３３，６３）を収容する弁サック（３５，６５）とが一体に組み立てられているとともに、前記弁室（４１，７１）内に前記挿入口から挿入された弁組立体（３１，６１）と、
前記弁室（４１，７１）の挿入口部に嵌入されて該挿入口部を液密に閉塞するとともに、前記弁組立体（３１，６１）に当接されたアダプタ（１）と、
このアダプタ（１）を押し付けて該アダプタ（１）と前記マニホールド（１５）との間に前記弁組立体（３１，６１）を挟持するとともに、前記マニホールド（１５）に定着具（４７）により固定された蓋体（２，２Ａ）と、
を備えていることを特徴とする往復ポンプ。
【請求項２】
前記弁組立体（３１，６１）と前記アダプタ（１）との間および／または前記アダプタ（１）と前記蓋体（２，２Ａ）との間に、ばね（４６）が介在されていることを特徴とする請求項１に記載の往復ポンプ。
【請求項３】
前記弁組立体（３１，６１）の前記弁サック（３５，６５）に雌ねじ（５２，８２）が形成され、前記蓋体（２，２Ａ）に貫通孔（７）が形成されていることを特徴とする請求項１または請求項２に記載の往復ポンプ。
【請求項４】
前記アダプタ（１）に突起部（５）が形成され、この突起部（５）が前記蓋体（２，２Ａ）の前記貫通孔（７）に嵌入されていることを特徴とする請求項３に記載の往復ポンプ。
【請求項５】
１つの蓋体（２Ａ）が複数個の前記アダプタ（１）を押し付けていることを特徴とする請求項１乃至請求項４のいずれかに記載の往復ポンプ。
【発明の詳細な説明】
【０００１】
【発明の属する技術分野】
本発明は、プランジャポンプやピストンポンプ等の往復ポンプに関する。
【０００２】
【従来の技術】
図５は、従来のプランジャポンプの要部の縦断面図である。
このプランジャポンプにおいては、クランクケース１１の前端に、吸水口１２を備えた吸水マニホールド１３がボルト１４により締め付けられて接合され、この吸水マニホールド１３の前端には、吐出マニホールド１５がボルト１６により締め付けられて接合されている。クランクケース１１内には、図示しないクランク機構が設けられ、このクランク機構にプランジャ２１の基端部が連結されており、これにより駆動源からの回転運動がクランク機構を介してプランジャ２１の往復運動に変換されるようになっている。このプランジャ２１は、吸水マニホールド１３に装着された低圧シール２２およびＶパッキン（高圧シール）２３に液密にかつ摺動自在に支持されて、吸水マニホールド１３を貫通し、そしてその先端部が吸水マニホールド１３および吐出マニホールド１５内に形成されたポンプ室２５内を進退運動するようになっている。
【０００３】
吐出マニホールド１５には、吸水マニホールド１３の下部の吸水口１２とポンプ室２５との間に吸水弁組立体３１が設けられ、またポンプ室２５と吐出マニホールド１５の上部に形成された吐出口（図示せず）との間に吐出弁組立体６１が設けられている。
【０００４】
吸水弁組立体３１は、弁座３２とこの弁座３２に就座される吸水弁（弁）３３とこの吸水弁３３を弁座３２に押圧する圧縮コイルばね（ばね）３４とこの圧縮コイルばね３４および吸水弁３３を収容する弁サック３５とから構成されている。この吸水弁組立体３１は、弁サック３５内に吸水弁３３および圧縮コイルばね３４が順次入れられた後に、弁座３２の一端部が弁サック３５の開口部に圧入されて、これらの弁座３２と弁サック３５とが互いに固定されている一体的な組立体である。
【０００５】
吸水弁組立体３１は、吐出マニホールド１５の吸水弁室４１に横向きに装着されている。すなわち、吐出マニホールド１５の下部には、吐出マニホールド１５の前側（図５において左側）に向かって開口する穴として吸水弁室４１が形成され、この吸水弁室４１は、ポンプ室２５および吸水マニホールド１３の吸水口１２にそれぞれ連通されている。そして、吸水弁組立体３１は、吸水弁室４１の挿入口（開口）から挿入されて、弁座３２が吐出マニホールド１５の嵌合部に嵌合されている。弁座３２の外周部には「Ｏ」リング（液密部材）３６が装着されており、この「Ｏ」リング３６により弁座３２と吐出マニホールド１５との間が液密に保たれている。
【０００６】
この吸水弁組立体３１は、嵌入部４３とフランジ部４４とからなる断面形状が概略Ｔ字状のプラグ４５により固定されている。すなわち、プラグ４５は、嵌入部４３が吸水弁室４１の挿入口部に嵌入され、嵌入部４３の先端が弁サック３５の底面に皿ばね４６を介して押し付けられているとともに、フランジ部４４がボルト４７により吐出マニホールド１５の前面に締め付けられている。プラグ４５の嵌入部４３の外周部には「Ｏ」リング（液密部材）４８が装着されており、この「Ｏ」リング４８により嵌入部４３と吐出マニホールド１５との間が液密に保たれている。
【０００７】
弁サック３５の底壁の中央部には、底壁の内外に突出する筒部５１が形成され、筒部５１には雌ねじ５２が形成されている。この筒部５１の外側に突出する部分は、プラグ４５の嵌入部４３の先端中央部に形成された凹部に嵌合されている。
【０００８】
一方、吐出弁組立体６１も、吸水弁組立体３１と同様に構成されている。すなわち、吐出弁組立体６１は、弁座６２とこの弁座６２に就座される吐出弁６３（弁）とこの吐出弁６３を弁座６２に押圧する圧縮コイルばね（ばね）６４とこの圧縮コイルばね６４および吐出弁６３を収容する弁サック６５とから構成されている。この吐出弁組立体６１は、弁サック６５内に吐出弁６３および圧縮コイルばね６４が順次入れられた後に、弁座６２の一端部が弁サック６５の開口部に圧入されて、これらの弁座６２と弁サック６５とが互いに固定されている一体的な組立体である。
【０００９】
吐出弁組立体６１は、吐出マニホールド１５の吐出弁室７１に縦向きに装着されている。すなわち、吐出マニホールド１５の上部には、吐出マニホールド１５の上側に向かって開口する穴として吐出弁室７１が形成され、この吐出弁室７１は、ポンプ室２５および吐出口にそれぞれ連通されている。そして、吐出弁組立体６１は、吐出弁室７１の挿入口（開口）から挿入されて、弁座６２が吐出マニホールド１５の嵌合部に嵌合されている。弁座６２の外周部には「Ｏ」リング（液密部材）７６が装着されており、この「Ｏ」リング７６により弁座６２と吐出マニホールド１５との間が液密に保たれている。
【００１０】
この吐出弁組立体６１は、吸水弁組立体３１と同様にして、プラグ４５により押さえられている。すなわち、プラグ４５は、嵌入部４３が吐出弁室７１の挿入口部に嵌入され、嵌入部４３の先端が弁サック６５の底面に皿ばね４６を介して押し付けられているとともに、フランジ部４４がボルト４７により吐出マニホールド１５の上面に締め付けられている。プラグ４５の嵌入部４３の外周部には「Ｏ」リング（液密部材）４８が装着されており、この「Ｏ」リング４８により嵌入部４３と吐出マニホールド１５との間が液密に保たれている。
【００１１】
弁サック６５の底壁の中央部には、底壁の内外に突出する筒部８１が形成され、筒部８１には雌ねじ８２が形成されている。この筒部８１の外側に突出ずる部分は、プラグ４３の嵌合部４４の先端中央部に形成された凹部に嵌合されている。
【００１２】
このように構成されたプランジャポンプにおいては、駆動源からの回転運動がクランク機構を介してプランジャ２１の往復運動に変換され、これによりプランジャ２１がポンプ室２５内を進退運動し、ポンプ室２５の容積変化によって、液体が吸水口１２から吸水弁３３を介してポンプ室２５内に流入し、またポンプ室２５から吐出弁６３を介して吐出口から吐出される。
【００１３】
【発明が解決しようとする課題】
ところで、このような従来のプランジャポンプにおいては、ポンプの機種を増やすために、製作型（ダイカスト型など）が共通の吐出マニホールド１５を使用して、ポンプの仕様（圧力、吸水量）を変える場合、吸水弁組立体３１や吐出弁組立体６１の長さＬや、吐出マニホールド１５の吸水弁室４１や吐出弁室７１の穴径Ｄの寸法を変える必要がある。
【００１４】
しかしながら、従来のプランジャポンプにあっては、吸水弁組立体３１および吐出弁組立体６１がそれぞれ、プラグ４５により吐出マニホールド１５の吸水弁室４１や吐出弁室７１に固定されているので、吸水弁組立体３１や吐出弁組立体６１の長さＬや、吐出マニホールド１５の吸水弁室４１や吸水弁室７１の穴径Ｄの寸法を変えると、プラグ４５の嵌入部４３の長さや径が変わるため、プラグ４５を作り変える必要がある。このプラグ４５は、通常、鍛造や鋳造により作製されるので、プラグ４５を作り変えるには、その都度高価な型を必要とする。また、プラグ４５は、接液部である嵌入部４３と固定部であるフランジ部４４とが一体であるため、接液しないフランジ部４４まで高価な材料を使用する必要がある。
【００１５】
本発明は、上記事情に鑑みて為されたもので、弁組立体を固定する部品の共通化および低廉化を図ることができる往復ポンプを提供することを目的とする。
【００１６】
【課題を解決するための手段】
上記目的を達成するために、請求項１に記載の往復ポンプは、挿入口を有する弁室（４１，７１）が形成されたマニホールド（１５）と、
弁座（３２，６２）とこの弁座（３２，６２）に就座される弁（３３，６３）とこの弁（３３，６３）を前記弁座（３２，６２）に押圧するばね（３４，６４）とこのばね（３４，６４）および前記弁（３３，６３）を収容する弁サック（３５，６５）とが一体に組み立てられているとともに、前記弁室（４１，７１）内に前記挿入口から挿入された弁組立体（３１，６１）と、
前記弁室（４１，７１）の挿入口部に嵌入されて該挿入口部を液密に閉塞するとともに、前記弁組立体（３１，６１）に当接されたアダプタ（１）と、
このアダプタ（１）を押し付けて該アダプタ（１）と前記マニホールド（１５）との間に前記弁組立体（３１，６１）を挟持するとともに、前記マニホールド（１５）に定着具（４７）により固定された蓋体（２，２Ａ）と、
を備えていることを特徴とする。
【００１７】
請求項１に記載の発明においては、弁組立体をマニホールドの弁室内に挿入口から挿入した後、アダプタをこの弁室の挿入口部に嵌入して、この挿入口部を液密に閉塞するとともに、弁組立体に当接する。その後、蓋体によりこのアダプタを弁組立体に押し付けて、蓋体をマニホールドに定着具で固定する。そうすると、弁組立体がマニホールドとアダプタとの間に挟持されて、弁組立体が弁室内に固定される。
【００１８】
この発明においては、弁組立体がマニホールドとアダプタとの間に挟持されるので、ポンプの仕様（圧力、吸水量）を変えるために、弁組立体の大きさやマニホールドの弁室の穴径を変えても、アダプタの長さや径を変えることにより対処できる。したがって、蓋体を共通化して使用することができる。
また、蓋体は接液しないので、蓋体の材質を耐食性の低いものにすることが可能である。さらに、蓋体とアダプタとをともに、単純な形状とすることができるので、これらの部品を高価な型を必要としない切削等によって作製することができる。その結果、これらの部品を廉価に作製することができる。
【００１９】
請求項２に記載の往復ポンプは、請求項１に記載の発明において、前記弁組立体（３１，６１）と前記アダプタ（１）との間および／または前記アダプタ（１）と前記蓋体（２，２Ａ）との間に、ばね（４６）が介在されていることを特徴とする。
【００２０】
請求項２に記載の発明においては、ばねが介在されているので、弁サック、弁座、アダプタあるいはマニホールド等の各部品の製作誤差が積み重なって、弁組立体とアダプタとの間に隙間が生じてしまうのを防止することができる。
【００２１】
請求項３に記載の往復ポンプは、請求項１または請求項２に記載の発明において、前記弁組立体（３１，６１）の前記弁サック（３５，６５）に雌ねじ（５２，８２）が形成され、前記蓋体（２，２Ａ）に貫通孔（７）が形成されていることを特徴とする。
【００２２】
請求項３に記載の発明においては、アダプタを外した状態で、蓋体の貫通孔にボルトを挿通して、ボルトの先端部を弁サックの雌ねじに螺合させ、ボルトを引き抜くことにより、弁組立体を弁室から容易に引き出すことができる。
【００２３】
請求項４に記載の往復ポンプは、請求項３に記載の発明において、前記アダプタ（１）に突起部（５）が形成され、この突起部（５）が前記蓋体（２，２Ａ）の前記貫通孔（７）に嵌入されていることを特徴とする。
【００２４】
請求項４に記載の発明においては、蓋体に設けた弁組立体引き抜き用の貫通孔に、アダプタの突起部を嵌入させているので、蓋体の貫通孔を有効に利用して、蓋体の位置決めを行うことができるとともに、アダプタを均一に押し付けることができる。
【００２５】
請求項５に記載の往復ポンプは、請求項１乃至請求項４のいずれかに記載の発明において、１つの蓋体（２Ａ）が複数個の前記アダプタ（１）を押し付けていることを特徴とする。
【００２６】
請求項５に記載の発明においては、蓋体の部品点数を少なくすることができて、加工費を低減することができるとともに、組立工数を低減することができる。
【００２７】
なお、上記における括弧内の符号は、図面において対応する要素を便宜的に表記したものであり、したがって本発明は図面上の記載に限定されるものではない。これは、「特許請求の範囲」の欄の記載についても同様である。
【００２８】
【発明の実施の形態】
以下、本発明の実施の形態を図面を参照して説明する。なお、本発明の特徴は、吸水弁組立体や吐出弁組立体を固定する構造に特徴があり、その他の構成および作用は前述した従来の構成および作用と同様であるため、以下においては、本発明の特徴部分についてのみ言及し、それ以外の部分については、図５と同一の符号を付してその詳細な説明を省略することにする。
【００２９】
図１は、本発明の実施の形態に係るプランジャポンプの要部の縦断面図であり、図２は図１を前側から見た図である。
このプランジャポンプ（往復ポンプ）は、３連式のプランジャポンプである。吸水弁組立体（弁組立体）３１は、アダプタ１と蓋体２とにより固定されている。すなわち、アダプタ１は概略断面形状がコ字状に形成されており、そしてこのアダプタ１は吸水弁室（弁室）４１の挿入口部に嵌入され、その先端が弁サック３５の底面に皿ばね（ばね）４６を介して当接されている。アダプタ１の外周部には「Ｏ」リング（液密部材）４８が装着されており、この「Ｏ」リング４８によりアダプタ１と吐出マニホールド（マニホールド）１５との間が液密に保たれている。
弁サック３５の底壁の中央部の筒部５１の外側に突出ずる部分は、アダプタ１の先端中央部に形成された凹部に嵌合されている。
【００３０】
アダプタ１の後端には、このアダプタ１を吸水弁組立体３１の弁サック３５に押し付けるようにして蓋体２が当接されており、この状態で蓋体２はボルト（定着具）４７により吐出マニホールド１５の前面に締め付けられている。
アダプタ１の後端の中央部には、後方に突出する突出部５が形成されており、この突出部５は、蓋体２の中央部に形成された貫通孔７に嵌入されている。
【００３１】
一方、吐出弁組立体（弁組立体）６１も、吸水弁組立体３１と同様にして、アダプタ１と蓋体２とにより固定されている。すなわち、アダプタ１は吐出弁室（弁室）７１の挿入口部に嵌入され、その先端が弁サック６５の底面に皿ばね４６を介して当接されている。アダプタ１の外周部には「Ｏ」リング４８が装着されており、この「Ｏ」リング４８によりアダプタ１と吐出マニホールド１５との間が液密に保たれている。
弁サック６５の底壁の中央部の筒部８１の外側に突出ずる部分は、アダプタ１の先端中央部に形成された凹部に嵌合されている。
アダプタ１の後端には、このアダプタ１を吐出弁組立体６１の弁サック６５に押し付けるようにして蓋体２が当接されており、この状態で蓋体２はボルト４７により吐出マニホールド１５の上面に締め付けられている。
【００３２】
このプランジャポンプにおいて、吸水弁組立体３１を吸水弁室４１に固定するには、まず、吸水弁組立体３１を吸水弁室４１の挿入口から挿入して、弁座３２を吐出マニホールド１５の嵌合部に嵌合し、吸水弁室４１に装着する。その後、アダプタ１を吸水弁室４１の挿入口部に嵌入して、この挿入口部を液密に閉塞するとともに、吸水弁組立体３１の弁サック３５に皿ばね４６を介して当接する。その後、蓋体２によりアダプタ１を吸水弁組立体３１に押し付けて、蓋体２を吐出マニホールド１５にボルト４７で固定する。そうすると、吸水弁組立体３１が吐出マニホールド１５とアダプタ１との間に挟持される。
【００３３】
一方、吐出弁組立体６１を吐出弁室７１に固定するには、吸水弁組立体３１の場合と同様に、吐出弁組立体６１を吐出弁室７１の挿入口から挿入して、弁座６２を吐出マニホールド１５の嵌合部に嵌合し、吐出弁室７１に装着した後、アダプタ１を吐出弁室７１の挿入口部に嵌入して、この挿入口部を液密に閉塞するとともに、吐出弁組立体６１の弁サック６５に当接する。その後、蓋体２によりアダプタ１を吐出弁組立体６１に押し付けて、蓋体２を吐出マニホールド１５にボルト４７で固定する。そうすると、吐出弁組立体６１が吐出マニホールド１５とアダプタ１との間に挟持される。
【００３４】
このプランジャポンプにあっては、吸水弁組立体３１や吐出弁組立体６１がそれぞれ吐出マニホールド１５とアダプタ１との間に挟持されて固定されるので、ポンプの仕様（圧力、吸水量）を変えるために、吸水弁組立体３１、吐出弁組立体６１の大きさや、吐出マニホールド１５の吸水弁室４１、吐出弁室７１の穴径を変えても、アダプタ１の長さや径を変えることにより対処できる。したがって、蓋体２を共通化して使用することができる。
また、蓋体２は接液しないので、蓋体２の材質を耐食性の低いものにすることができる。さらに、蓋体２とアダプタ１とをともに、単純な形状とすることができるので、これらの部品を高価な型を必要としない切削等によって作製することができる。その結果、これらの部品を廉価に作製することができる。
【００３５】
また、吸水弁組立体３１の弁サック３５とアダプタ１との間、および吐出弁組立体６１体の弁サック６５とアダプタ１との間にそれぞれ、皿ばね４６が介在されているので、弁サック３５，６５、弁座３２，６５、アダプタ１あるいは吐出マニホールド１５等の各部品の製作誤差が積み重なって、吸水弁組立体３１とアダプタ１との間や吐出弁組立体６１とアダプタ１との間に隙間が生じてしまうのを防止することができる。
【００３６】
また、蓋体２に貫通孔７が形成され、また吸水弁組立体３１および吐出弁組立体６１の弁サック３５，６５に雌ねじ５２，８２が形成されているので、これらを利用して、吸水弁組立体３１や吐出弁組立体６１を吐出マニホールド１５の吸水弁室４１や吐出弁室７１から容易に取り出すことができる。すなわち、図３に示すように、アダプタ１を外しておき、この状態で、蓋体２の貫通孔７に平座金９１を介してボルト９２を挿通して、ボルト９２の先端部を弁サック３５，６５の雌ねじ５２，８２に螺合させる。そして、ボルト９２を引き抜くことにより、吸水弁組立体３１や吐出弁組立体６１を引き出すことができる。
【００３７】
また、蓋体２に形成したこの吸水弁組立体３１や吐出弁組立体６１を引き出すための貫通孔７に、アダプタ１の突起部５を嵌入させているので、蓋体２のこの貫通孔７を有効に利用して、蓋体２の位置決めを行うことができるとともに、蓋体２をアダプタ１に均一に押し付けることができる。
【００３８】
なお、上記実施の形態では、吸水弁組立体３１、吐出弁組立体６１とアダプタ１との間に皿ばね４６を介在させたが、これに代えて、アダプタ１と蓋体２との間に皿ばね（ばね）４６を介在させるようにしてもよいし、あるいはどちらにも介在させるようにしてもよい。
さらには、皿ばね（ばね）４６に代えて、合成樹脂や合成ゴム等の弾性材からなる板部材等を介在させるようにしてもよい。
さらには、吸水弁組立体３１とアダプタ１との間や吐出弁組立体６１とアダプタ１との間に隙間が生じないのであれば、これらの介在物を省略することもできる。
【００３９】
また、上記実施の形態では、各アダプタ１にそれぞれ蓋体２を設けたが、図４に示すように、吸水弁組立体毎、あるいは吐出弁組立体毎に、１つの蓋体２Ａで３つ（複数）のアダプタを押し付けるようにしてもよい。このようにすることにより、蓋体２Ａの部品点数を少なくすることができて、加工費を低減することができるとともに、組立工数を低減することができる。
【００４０】
また、上記実施の形態では、本発明をプランジャポンプに適用した場合について説明したが、これに限らず、本発明は、ピストンポンプ等の他の往復ポンプにも適用することができる。
【００４１】
【発明の効果】
以上説明したように、本発明の往復ポンプによれば、弁組立体を固定する部品の共通化および低廉化を図ることができる。
【図面の簡単な説明】
【図１】本発明の実施の形態に係るプランジャポンプの要部を示す縦断面図である。
【図２】図１のプランジャポンプを前側から見た図である。
【図３】弁組立体を取り出す方法を説明するための断面図である。
【図４】図１のプランジャポンプの変形例を示す図であって、プランジャポンプを前側から見た図である。
【図５】従来のプランジャポンプの要部を示す縦断面図である。
【符号の説明】
１    アダプタ
２，２Ａ    蓋体
５    突起部
７    貫通孔
１５    吐出マニホールド（マニホールド）
３１    吸水弁組立体（弁組立体）
３２    弁座
３３    吸水弁（弁）
３４    圧縮コイルばね（ばね）
３５    弁サック
４１    吸水弁室（弁室）
４６    皿ばね（ばね）
４７    ボルト（定着具）
５２    雌ねじ
６１    吐出弁組立体（弁組立体）
６２    弁座
６３    吐出弁（弁）
６４    圧縮コイルばね（ばね）
６５    弁サック
７１    吐出弁室（弁室）
８２    雌ねじ
【図１】
0003961873.tif 000002
【図２】
0003961873.tif 000003
【図３】
0003961873.tif 000004
【図４】
0003961873.tif 000005
【図５】
0003961873.tif 000006